(57)【要約】【課題】管理者の登録作業を必要とすることなく、ユーザが自己のホームポジションを登録可能とする。【解決手段】ユーザ情報取得部１１が、各区画への入退室を管理する入退室管理システム３０における、ユーザに対する任意の区画への入退室許可の判定に応じて、当該ユーザのユーザ情報を取得し、ユーザ登録部２２が、取得したユーザ情報と対応するユーザに関するユーザ登録情報での登録有無を確認し、登録なしの場合には、当該ユーザ情報に基づき当該ユーザをユーザ登録情報に登録し、ホームポジション登録部２３が、ユーザからのホームポジション登録要求に応じて、ユーザ登録情報での当該ユーザの登録有無を確認し、登録ありの場合には、当該ユーザから指定された区画の区画ＩＤをホームポジション情報として当該ユーザに対応付けてユーザ登録情報に登録する。【選択図】  図１
2015207236.tif 000002
【特許請求の範囲】
【請求項１】
施設内の各区画に設置されている機器を、予め登録された各ユーザの常在区画であるホームポジションに基づいて、遠隔制御する施設管理システムであって、
ユーザごとに、当該ユーザのホームポジションを示す区画ＩＤからなるホームポジション情報が登録されたユーザ登録情報を記憶するユーザ登録情報ＤＢと、
前記各区画への入退室を管理する入退室管理システムにおける、前記ユーザに対する任意の区画への入退室許可の判定に応じて、当該ユーザのユーザ情報を取得するユーザ情報取得部と、
取得した前記ユーザ情報と対応するユーザに関する前記ユーザ登録情報での登録有無を確認し、登録なしの場合には、当該ユーザ情報に基づき当該ユーザを前記ユーザ登録情報に登録するユーザ登録部と、
前記ユーザからのホームポジション登録要求に応じて、前記ユーザ登録情報での当該ユーザの登録有無を確認し、登録ありの場合には、当該ユーザから指定された区画の区画ＩＤをホームポジション情報として当該ユーザに対応付けて前記ユーザ登録情報に登録するホームポジション登録部と、
前記ユーザからの機器制御要求に応じて、前記ユーザ登録情報から当該ユーザのホームポジション情報を取得し、当該ホームポジション情報と対応する区画に設置されている機器を遠隔制御する機器制御処理部と
を備えることを特徴とする施設管理システム。
【請求項２】
請求項１に記載の施設管理システムにおいて、
前記ユーザ登録情報は、ユーザごとに、前記ホームポジション情報と当該ユーザによる当該システムの利用に関する登録レベルとが登録されており、
前記ユーザ登録部は、前記登録なしの場合、前記ユーザの登録レベルを一時的な登録状態を示す仮登録として前記ユーザ登録情報に登録する
ことを特徴とする施設管理システム。
【請求項３】
請求項２に記載の施設管理システムにおいて、
前記ユーザ登録部は、前記ユーザ登録情報のうち登録レベルが仮登録の状態である前記ユーザからの本登録要求に応じて、前記ユーザ登録情報のうち当該ユーザの登録レベルを本登録に変更することを特徴とする施設管理システム。
【請求項４】
請求項２または請求項３に記載の施設管理システムにおいて、
前記ユーザ登録部は、前記ユーザ登録情報のうち任意のユーザに関する登録レベルが一定の猶予期間以上仮登録の状態であった場合、当該ユーザに関する登録内容を当該ユーザ登録情報から削除することを特徴とする施設管理システム。
【請求項５】
施設内の各区画に設置されている機器を、予め登録された各ユーザの常在区画であるホームポジションに基づいて、遠隔制御する施設管理システムで用いられる施設管理方法であって、
ユーザ登録情報ＤＢが、ユーザごとに、当該ユーザのホームポジションを示す区画ＩＤからなるホームポジション情報が登録されたユーザ登録情報を記憶する記憶ステップと、
ユーザ情報取得部が、前記各区画への入退室を管理する入退室管理システムにおける、前記ユーザに対する任意の区画への入退室許可の判定に応じて、当該ユーザのユーザ情報を取得するユーザ情報取得ステップと、
ユーザ登録部が、取得した前記ユーザ情報と対応するユーザに関する前記ユーザ登録情報での登録有無を確認し、登録なしの場合には、当該ユーザ情報に基づき当該ユーザを前記ユーザ登録情報に登録するユーザ登録ステップと、
ホームポジション登録部が、前記ユーザからのホームポジション登録要求に応じて、前記ユーザ登録情報での当該ユーザの登録有無を確認し、登録ありの場合には、当該ユーザから指定された区画の区画ＩＤをホームポジション情報として当該ユーザに対応付けて前記ユーザ登録情報に登録するホームポジション登録ステップと、
機器制御処理部が、前記ユーザからの機器制御要求に応じて、前記ユーザ登録情報から当該ユーザのホームポジション情報を取得し、当該ホームポジション情報と対応する区画に設置されている機器を遠隔制御する機器制御処理ステップと
を備えることを特徴とする施設管理方法。
【発明の詳細な説明】
【技術分野】
【０００１】
本発明は、施設管理技術に関し、特に施設を利用するユーザのホームポジションに基づき設備機器を制御する施設管理技術に関する。
【背景技術】
【０００２】
従来から、所定の空間で日常の勤務などを行うユーザに対して、予めホームポジション(各ユーザに固有のエリア)を設定しておき、ホームポジション毎の在室人数に従って、各種のイベント(照明機器、空調機器などのON/OFF制御など)を実施する、ホームポジション制御が提案されている。
このようなホームポジション制御を実施するためには、設定用のサーバと制御用のコントローラが必要となり、新規のユーザを追加する場合には、管理者はサーバに新規のユーザ情報の登録を行ない、サーバからコントローラへと登録されたユーザ情報を展開するように構成される（例えば、特許文献１など参照）。
【先行技術文献】
【特許文献】
【０００３】
【特許文献１】特開２００５−２１４４９５号公報
【発明の概要】
【発明が解決しようとする課題】
【０００４】
しかしながら、このような従来技術では、管理者が各ユーザのホームポジションを登録することによって、初めてユーザがサーバにログイン可能となる。そのため、管理者によるユーザ情報の登録が完了するまでは、ユーザはサーバにログインすることができず、それまでの間はホームポジション制御を実施することができないという問題点があった。また、管理者が各ユーザ情報の登録を行う必要があり、登録作業が煩わしいといった問題点もあった。
【０００５】
本発明はこのような課題を解決するためのものであり、管理者の登録作業を必要とすることなく、ユーザが自己のホームポジションを登録できる施設管理技術を提供することを目的としている。
【課題を解決するための手段】
【０００６】
このような目的を達成するために、本発明にかかる施設管理システムは、施設内の各区画に設置されている機器を、予め登録された各ユーザの常在区画であるホームポジションに基づいて遠隔制御する施設管理システムであって、ユーザごとに、当該ユーザのホームポジションを示す区画ＩＤからなるホームポジション情報が登録されたユーザ登録情報を記憶するユーザ登録情報ＤＢと、前記各区画への入退室を管理する入退室管理システムにおける、前記ユーザに対する任意の区画への入退室許可の判定に応じて、当該ユーザのユーザ情報を取得するユーザ情報取得部と、取得した前記ユーザ情報と対応するユーザに関する前記ユーザ登録情報での登録有無を確認し、登録なしの場合には、当該ユーザ情報に基づき当該ユーザを前記ユーザ登録情報に登録するユーザ登録部と、前記ユーザからのホームポジション登録要求に応じて、前記ユーザ登録情報での当該ユーザの登録有無を確認し、登録ありの場合には、当該ユーザから指定された区画の区画ＩＤをホームポジション情報として当該ユーザに対応付けて前記ユーザ登録情報に登録するホームポジション登録部と、前記ユーザからの機器制御要求に応じて、前記ユーザ登録情報から当該ユーザのホームポジション情報を取得し、当該ホームポジション情報と対応する区画に設置されている機器を遠隔制御する機器制御処理部とを備えている。
【０００７】
また、本発明にかかる上記施設管理システムの一構成例は、前記ユーザ登録情報に、ユーザごとに、前記ホームポジション情報と当該ユーザによる当該システムの利用に関する登録レベルとが登録されており、前記ユーザ登録部は、前記登録なしの場合、前記ユーザの登録レベルを一時的な登録状態を示す仮登録として前記ユーザ登録情報に登録するようにしたものである。
【０００８】
また、本発明にかかる上記施設管理システムの一構成例は、前記ユーザ登録部が、前記ユーザ登録情報のうち登録レベルが仮登録の状態である前記ユーザからの本登録要求に応じて、前記ユーザ登録情報のうち当該ユーザの登録レベルを本登録に変更するようにしたものである。
【０００９】
また、本発明にかかる上記施設管理システムの一構成例は、前記ユーザ登録部が、前記ユーザ登録情報のうち任意のユーザに関する登録レベルが一定の猶予期間以上仮登録の状態であった場合、当該ユーザに関する登録内容を当該ユーザ登録情報から削除するようにしたものである。
【００１０】
また、本発明にかかる施設管理方法は、施設内の各区画に設置されている機器を、予め登録された各ユーザの常在区画であるホームポジションに基づいて遠隔制御する施設管理システムで用いられる施設管理方法であって、ユーザ登録情報ＤＢが、ユーザごとに、当該ユーザのホームポジションを示す区画ＩＤからなるホームポジション情報が登録されたユーザ登録情報を記憶する記憶ステップと、ユーザ情報取得部が、前記各区画への入退室を管理する入退室管理システムにおける、前記ユーザに対する任意の区画への入退室許可の判定に応じて、当該ユーザのユーザ情報を取得するユーザ情報取得ステップと、ユーザ登録部が、取得した前記ユーザ情報と対応するユーザに関する前記ユーザ登録情報での登録有無を確認し、登録なしの場合には、当該ユーザ情報に基づき当該ユーザを前記ユーザ登録情報に登録するユーザ登録ステップと、ホームポジション登録部が、前記ユーザからのホームポジション登録要求に応じて、前記ユーザ登録情報での当該ユーザの登録有無を確認し、登録ありの場合には、当該ユーザから指定された区画の区画ＩＤをホームポジション情報として当該ユーザに対応付けて前記ユーザ登録情報に登録するホームポジション登録ステップと、機器制御処理部が、前記ユーザからの機器制御要求に応じて、前記ユーザ登録情報から当該ユーザのホームポジション情報を取得し、当該ホームポジション情報と対応する区画に設置されている機器を遠隔制御する機器制御処理ステップとを備えている。
【発明の効果】
【００１１】
本発明によれば、入退室管理システムにおける任意の区画への入退室許可の判定に応じて、当該ユーザが施設管理システムを利用可能なユーザとして自動登録される。このため、施設管理システムにおいて、管理者の登録作業を必要とすることなく、ユーザが自己のホームポジションを登録することが可能となる。
【図面の簡単な説明】
【００１２】
【図１】本実施の形態にかかる施設管理システムの構成を示すブロック図である。
【図２】ユーザ登録情報の構成例である。
【図３】施設管理システムのユーザ登録動作を示すシーケンス図である。
【図４】施設管理システムのホームポジション登録動作を示すシーケンス図である。
【図５】ホームポジション登録画面の構成例である。
【図６】施設管理システムの機器操作動作を示すシーケンス図である。
【図７】施設管理システムの他の機器操作動作を示すシーケンス図である。
【図８】施設管理システムの登録レベル管理動作を示すシーケンス図である。
【発明を実施するための形態】
【００１３】
次に、本発明の一実施の形態について図面を参照して説明する。
［施設管理システム］
まず、図１を参照して、本実施の形態にかかる施設管理システム１について説明する。図１は、本実施の形態にかかる施設管理システムの構成を示すブロック図である。
この施設管理システム１は、施設内の各区画４０に設置されている設備機器４３を、予め登録された各ユーザの常在区画であるホームポジションに基づいて遠隔制御するためのシステムであり、施設管理装置１０とホームポジション管理装置２０とから構成されている。
【００１４】
入退室管理システム３０は、施設内の各区画４０でユーザが入退室する際に、当該ユーザに対する当該区画での入退室可否を判定するシステムであり、入退室管理装置３１と入退室処理装置３２とから構成されている。
入退室管理装置３１は、全体としてサーバなどの情報処理装置からなり、入退室処理装置３２での入退室判定に用いる各ユーザの個人情報や入退室判定の履歴情報を管理する機能を有している。
【００１５】
入退室処理装置３２は、全体として産業用コントローラなどの制御処理装置からなり、区画４０に設置されているカードリーダなどの操作端末４１で、予め配布されているＩＤカード４２から読み取ったユーザ情報を通信回線Ｌ２を介して取得する機能と、得られたユーザ情報を予め入退室管理装置３１から登録された当該ユーザの個人情報と照合することにより、当該区画４０での入退室可否を判定する機能と、入退室許可の判定に応じて当該区画４０の電気錠を開錠し、入退室不可の判定に応じて当該区画４０の電気錠を施錠したままとする機能とを有している。
【００１６】
［施設管理装置］
次に、図１を参照して、本実施の形態にかかる施設管理システム１の施設管理装置１０について詳細に説明する。
施設管理装置１０は、全体として産業用コントローラなどの制御処理装置からなり、主な機能部として、ユーザ登録情報ＤＢ１１、ユーザ情報取得部１２、および機器制御部１３とが設けられている。
【００１７】
ユーザ登録情報ＤＢ１１は、ユーザごとに、当該ユーザのホームポジションを示す区画ＩＤからなるホームポジション情報と、当該ユーザによる当該システムの利用に関する登録レベルとが登録されたユーザ登録情報を記憶するデータベースである。
図２は、ユーザ登録情報の構成例である。ここでは、ユーザごとに、当該ユーザを識別するためのユーザＩＤ、ユーザ名、ホームポジション情報、当該ユーザによる当該システムの利用に関する登録レベル、および仮登録をした日時を示す仮登録日時が組として登録されている。
【００１８】
ユーザ情報取得部１２は、各区画４０への入退室を管理する入退室管理システム３０における、任意のユーザに対する任意の区画への入退室許可の判定に応じて、当該判定に用いた当該ユーザのユーザ情報を取得する機能と、ユーザ登録情報ＤＢ１１を参照して当該ユーザ情報と対応するユーザに関するユーザ登録情報の登録有無を確認する機能と、登録なしの判定に応じて、当該ユーザ情報に基づき当該ユーザをユーザ登録情報ＤＢ１１のユーザ登録情報に登録し、ユーザの登録レベルを一時的な登録状態を示す仮登録とする機能と、登録なしの判定に応じて、取得したユーザ情報をホームポジション管理装置２０へ通知する機能とを有している。
【００１９】
また、ユーザ情報取得部１２は、ホームポジション管理装置２０からの本登録指示に応じて、ユーザ登録情報ＤＢ１１のユーザ登録情報のうち指定されたユーザの登録レベルを本登録に変更する機能と、ユーザ登録情報ＤＢ１１のユーザ登録情報のうち任意のユーザに関する登録レベルが一定の猶予期間以上仮登録の状態であった場合、当該ユーザに関する登録内容をユーザ登録情報から削除する機能とを有している。
【００２０】
機器制御部１３は、ホームポジション管理装置２０からの指示に応じて、通信回線Ｌ３を介して指定された区画４０に設置されている設備機器４３とデータ通信することにより、当該設備機器４３を遠隔制御する機能を有している。
【００２１】
［ホームポジション管理装置］
次に、図１を参照して、本実施の形態にかかる施設管理システム１のホームポジション管理装置２０について詳細に説明する。
ホームポジション管理装置２０は、全体としてサーバなどの情報処理装置からなり、主な機能部として、ユーザ登録情報ＤＢ２１、ユーザ登録部２２、ホームポジション登録部２３、および機器制御処理部２４が設けられている。
【００２２】
ユーザ登録情報ＤＢ２１は、ユーザごとに、当該ユーザのホームポジションを示す区画ＩＤからなるホームポジション情報が登録されたユーザ登録情報を記憶するデータベースである。ユーザ登録情報の構成は、前述の図２で説明したユーザ登録情報ＤＢ１１と同様である。
【００２３】
ユーザ登録部２２は、ユーザ登録情報ＤＢ２１を参照して、施設管理装置１０から通知されたユーザ情報と対応するユーザに関するユーザ登録情報での登録有無を確認する機能と、登録なしの判定に応じて、当該ユーザ情報に基づき当該ユーザをユーザ登録情報ＤＢ２１のユーザ登録情報に登録し、ユーザの登録レベルを一時的な登録状態を示す仮登録とする機能とを有している。
【００２４】
また、ユーザ登録部２２は、ユーザ登録情報ＤＢ２１のユーザ登録情報のうち登録レベルが仮登録の状態であるユーザからの本登録要求に応じて、ユーザ登録情報のうち当該ユーザの登録レベルを本登録に変更する機能と、ユーザ登録情報ＤＢ２１のユーザ登録情報のうち任意のユーザに関する登録レベルが一定の猶予期間以上仮登録の状態であった場合、当該ユーザに関する登録内容をユーザ登録情報から削除する機能とを有している。
【００２５】
ホームポジション登録部２３は、通信回線Ｌ１を介して受け付けたユーザ端末４４からのホームポジション登録要求に応じて、ユーザ登録情報ＤＢ２１のユーザ登録情報での当該ユーザの登録有無を確認する機能と、登録ありの判定に応じて、当該ユーザから指定された区画の区画ＩＤをホームポジション情報として当該ユーザに対応付けて、ユーザ登録情報ＤＢ２１のユーザ登録情報に登録する機能とを有している。
【００２６】
機器制御処理部２４は、通信回線Ｌ１を介して受け付けたユーザ端末４４からの機器制御要求に応じて、ユーザ登録情報ＤＢ２１のユーザ登録情報から当該ユーザのホームポジション情報を取得する機能と、当該ホームポジション情報と対応する区画に設置されている機器の遠隔制御を、施設管理装置１０に対して指示する機能とを有している。
【００２７】
［本実施の形態の動作］
次に、図面を参照して、本実施の形態にかかる施設管理システム１の動作について説明する。
【００２８】
［ユーザ登録動作］
まず、図３を参照して、本実施の形態にかかる施設管理システム１のユーザ登録動作について説明する。図３は、施設管理システムのユーザ登録動作を示すシーケンス図である。
【００２９】
区画４０に設置されている操作端末４１は、ユーザによるＩＤカード４２のカード操作に応じて（ステップ１００）、ＩＤカード４２からユーザ情報を読み取り、このユーザ情報を含む判定要求を入退室処理装置３２へ通知する（ステップ１０１）。
【００３０】
入退室処理装置３２は、この判定要求に応じて、通知されたユーザ情報を予め登録されている当該ユーザの個人情報と照合することにより、当該区画４０での入退室可否を判定する（ステップ１０２）。この後、入退室許可の判定に応じて、入退室処理装置３２は、当該区画４０の電気錠を開錠するなどの入退室許可処理を実行する（ステップ１０３）。
【００３１】
また、入退室処理装置３２は、入退室許可の判定に応じて、当該判定に用いたユーザ情報を施設管理装置１０へ通知する（ステップ１１０）。この際、当該ユーザに対して入退室不可と判定された場合、施設管理装置１０に対するユーザ情報の通知は行われない。
【００３２】
施設管理装置１０のユーザ情報取得部１２は、入退室処理装置３２からのユーザ情報を取得して、ユーザ登録情報ＤＢ１１を参照して当該ユーザ情報と対応するユーザに関するユーザ登録情報の登録有無を確認する（ステップ１１１）。ここで、登録なしの判定に応じて、当該ユーザ情報に基づき当該ユーザをユーザ登録情報に登録し、ユーザの登録レベルを一時的な登録状態を示す仮登録とする（ステップ１１２）。
【００３３】
また、ユーザ情報取得部１２は、登録なしの判定に応じて、取得したユーザ情報をホームポジション管理装置２０へ通知する（ステップ１１３）。なお、登録ありと判定された場合、ユーザ登録情報へのユーザ登録およびホームポジション管理装置２０に対するユーザ情報の通知は行われない。
【００３４】
ホームポジション管理装置２０のユーザ登録部２２は、施設管理装置１０からのユーザ情報の通知に応じて、ユーザ登録情報ＤＢ２１を参照して当該ユーザ情報と対応するユーザに関するユーザ登録情報の登録有無を確認する（ステップ１１４）。ここで、登録なしの判定に応じて、当該ユーザ情報に基づき当該ユーザをユーザ登録情報に登録し、ユーザの登録レベルを一時的な登録状態を示す仮登録とし（ステップ１１５）、一連のユーザ登録動作を終了する。なお、登録ありと判定された場合、ユーザ登録情報へのユーザ登録は行われない。
【００３５】
［ホームポジション登録動作］
次に、図４を参照して、本実施の形態にかかる施設管理システム１でのホームポジション登録動作について説明する。図４は、施設管理システムのホームポジション登録動作を示すシーケンス図である。
【００３６】
ユーザ操作に応じたユーザ端末４４からのホームポジション登録要求に応じて（ステップ１２０）、ホームポジション管理装置２０のホームポジション登録部２３は、ユーザ登録情報ＤＢ２１のユーザ登録情報での当該ユーザの登録有無を確認する（ステップ１２１）。ここで、登録ありの判定に応じて、当該ユーザから指定された区画の区画ＩＤをホームポジション情報とし、当該ユーザに対応付けてユーザ登録情報ＤＢ２１のユーザ登録情報に登録する（ステップ１２２）。
【００３７】
図５は、ホームポジション登録画面の構成例である。ホームポジション登録部２３は、ユーザ端末４４からのホームポジション登録要求に応じて、図５に示すような、ホームポジション登録画面をユーザ端末４４へ配信する。図５の例では、各区画４０に対応するシンボルが実際のレイアウトに応じて配置されている。ユーザが、各シンボルのうちホームポジションとなる区画のシンボルに配置されているチェックボックスをチェックした後、登録ボタンを押下することにより、ユーザのホームポジション情報がホームポジション登録部２３へ通知される。この際、ホームポジションとして、ユーザが常在する区画を複数登録可能としてもよい。
【００３８】
この後、ホームポジション登録部２３は、ホームポジション登録指示を、施設管理装置１０へ通知する（ステップ１２３）。
これに応じて、施設管理装置１０は、ホームポジション登録指示で指定された区画の区画ＩＤをホームポジション情報とし、当該ユーザに対応付けてユーザ登録情報ＤＢ１１のユーザ登録情報に登録し（ステップ１２４）、一連のホームポジション登録動作を終了する。
【００３９】
［機器操作動作］
次に、図６を参照して、本実施の形態にかかる施設管理システム１の機器操作動作について説明する。図６は、施設管理システムの機器操作動作を示すシーケンス図である。
前述した図４のホームポジション登録動作が終了した後、入退室管理システム３０におけるユーザの入退室可否判定処理に応じて、施設管理システム１は、図６の機器制御動作を開始する。
【００４０】
区画４０に設置されている操作端末４１は、ユーザによるＩＤカード４２のカード操作に応じて（ステップ１３０）、ＩＤカード４２からユーザ情報を読み取り、このユーザ情報を含む判定要求を入退室処理装置３２へ通知する（ステップ１３１）。
【００４１】
入退室処理装置３２は、この判定要求に応じて、通知されたユーザ情報を予め登録されている当該ユーザの個人情報と照合することにより、当該区画４０での入退室可否を判定する（ステップ１３２）。この後、入退室許可の判定に応じて、入退室処理装置３２は、当該区画４０の電気錠を開錠するなどの入退室許可処理を実行する（ステップ１３３）。
【００４２】
また、入退室処理装置３２は、入退室許可の判定に応じて、当該判定に用いた入退室ユーザのユーザ情報とともに、当該入退室ユーザの移動元区画および移動先区画に在室する他の在室ユーザを示す在室情報を施設管理装置１０へ通知する（ステップ１４０）。この際、当該入退室ユーザに対して入退室不可と判定された場合、施設管理装置１０に対するユーザ情報の通知は行われない。
【００４３】
施設管理装置１０のユーザ情報取得部１２は、入退室処理装置３２からのユーザ情報と在室情報を取得して、ユーザ登録情報ＤＢ１１を参照して当該ユーザ情報と対応する入退室ユーザに関するユーザ登録情報の登録有無を確認する（ステップ１４１）。
ここで、登録ありの判定に応じて、当該ユーザ登録情報から入退室ユーザのホームポジション情報を取得するとともに、在室情報に含まれる在室ユーザのうち、ユーザ登録情報ＤＢ１１にユーザ登録情報が登録されている在室ユーザのホームポジション情報を取得する（ステップ１４２）。
【００４４】
次に、機器制御部１３は、ユーザ情報取得部１２で取得したユーザ情報と各ユーザのホームポジション情報に基づいて、入退室ユーザの移動元区画または移動先区画に設置されている設備機器４３に対する機器制御の要否を判定する（ステップ１４３）。
【００４５】
この際、例えば、ユーザ情報に含まれている入退室ユーザの移動先区画の区画ＩＤと入退室ユーザのホームポジション情報が示す区画ＩＤとの一致により、入退室ユーザが自己のホームポジション（常在区画）に入室したことが確認された場合、移動先区画をホームポジションとする他の在室ユーザが在室していない場合には、移動先区画に設置されている設備機器４３の起動が必要と判定する。
【００４６】
また、例えば、ユーザ情報に含まれている入退室ユーザの移動元区画の区画ＩＤと入退室ユーザのホームポジション情報が示す区画ＩＤとの一致により、入退室ユーザが自己のホームポジション（常在区画）から退室したことが確認された場合、移動元区画をホームポジションとする他の在室ユーザが在室していない場合には、移動元区画に設置されている設備機器４３の停止が必要と判定する。
【００４７】
このようにして、設備機器４３に対する機器制御の要否判定により、機器制御が必要と判定された場合（ステップ１４３：ＹＥＳ）、機器制御部１３は、制御対象となる入退室ユーザの移動先区画または移動元区画に設置されている設備機器４３とデータ通信することにより、当該設備機器４３を遠隔制御する（ステップ１４４）。
設備機器４３は、この遠隔制御に応じて、指定された動作を開始し（ステップ１４５）、一連の機器操作動作を終了する。
【００４８】
次に、図７を参照して、本実施の形態にかかる施設管理システム１の他の機器操作動作について説明する。図７は、施設管理システムの他の機器操作動作を示すシーケンス図である。
ユーザ操作に応じたユーザ端末４４からの機器操作要求に応じて（ステップ１５０）、ホームポジション管理装置２０の機器制御処理部２４は、ユーザ登録情報ＤＢ２１のユーザ登録情報での当該ユーザの登録有無を確認する（ステップ１５１）。ここで、登録ありの判定に応じて、当該ユーザのユーザ登録情報に登録されているホームポジション情報と対応する区画を確認し、当該機器操作要求で指定された操作内容に基づいて当該区画の設備機器４３に対する遠隔制御を指示する機器制御指示を、施設管理装置１０に通知する（ステップ１５３）。
【００４９】
これに応じて、施設管理装置１０の機器制御部１３は、指定された区画４０に設置されている設備機器４３とデータ通信することにより、当該設備機器４３を遠隔制御する（ステップ１５４）。
設備機器４３は、この遠隔制御に応じて、指定された動作を開始し（ステップ１５５）、一連の機器操作動作を終了する。
【００５０】
［登録レベル管理動作］
次に、図８を参照して、本実施の形態にかかる施設管理システム１の登録レベル管理動作について説明する。図８は、施設管理システムの登録レベル管理動作を示すシーケンス図である。
【００５１】
ユーザ操作に応じたユーザ端末４４からの本登録要求に応じて（ステップ１６０）、ホームポジション管理装置２０のユーザ登録部２２は、ユーザ登録情報ＤＢ２１のユーザ登録情報での当該ユーザの登録有無を確認する（ステップ１６１）。ここで、登録ありの判定に応じて、当該ユーザのユーザ登録情報に登録されている登録レベルを本登録に変更し（ステップ１６２）、施設管理装置１０に対して、本登録指示を通知する（ステップ１６３）。
【００５２】
施設管理装置１０のユーザ情報取得部１２は、ホームポジション管理装置２０からの本登録指示に応じて、ユーザ登録情報ＤＢ１１のユーザ登録情報のうち指定されたユーザの登録レベルを本登録に変更する（ステップ１６４）。
【００５３】
また、ユーザ登録部２２は、ユーザ登録情報ＤＢ２１のユーザ登録情報を参照して、各ユーザのうち登録レベルが仮登録のユーザに関する仮登録日時をチェックし（ステップ１７０）、仮登録状態である期間が一定の猶予期間以上であった場合（ステップ１７１）、当該ユーザに関する登録内容をユーザ登録情報から削除する（ステップ１７２）。
【００５４】
施設管理装置１０のユーザ情報取得部１２も同様にして、ユーザ登録情報ＤＢ１１のユーザ登録情報を参照して、各ユーザのうち登録レベルが仮登録のユーザに関する仮登録日時をチェックし（ステップ１８０）、仮登録状態である期間が一定の猶予期間以上であった場合（ステップ１８１）、当該ユーザに関する登録内容をユーザ登録情報から削除する（ステップ１８２）。
【００５５】
［本実施の形態の効果］
このように、本実施の形態は、ユーザ情報取得部１２が、各区画への入退室を管理する入退室管理システム３０における、ユーザに対する任意の区画への入退室許可の判定に応じて、当該ユーザのユーザ情報を取得し、ユーザ登録部２２が、取得したユーザ情報と対応するユーザに関するユーザ登録情報での登録有無を確認し、登録なしの場合には、当該ユーザ情報に基づき当該ユーザをユーザ登録情報に登録し、ホームポジション登録部２３が、ユーザからのホームポジション登録要求に応じて、ユーザ登録情報での当該ユーザの登録有無を確認し、登録ありの場合には、当該ユーザから指定された区画の区画ＩＤをホームポジション情報として当該ユーザに対応付けてユーザ登録情報に登録するようにしたものである。
【００５６】
これにより、入退室管理システム３０における任意の区画への入退室許可の判定に応じて、当該ユーザが施設管理システム１を利用可能なユーザとして自動登録される。このため、施設管理システム１において、管理者の登録作業を必要とすることなく、ユーザが自己のホームポジションを登録することが可能となる。
【００５７】
また、本実施の形態では、取得したユーザ情報と対応するユーザに関するユーザ登録情報が登録されていない場合、ユーザ登録部２２で、ユーザの登録レベルを一時的な登録状態を示す仮登録としてユーザ登録情報に登録するようにしてもよい。
具体的には、ユーザ登録部２２で、ユーザ登録情報のうち登録レベルが仮登録の状態であるユーザからの本登録要求に応じて、ユーザ登録情報のうち当該ユーザの登録レベルを本登録に変更するようにしてもよく、また、ユーザ登録部２２で、ユーザ登録情報のうち任意のユーザに関する登録レベルが一定の猶予期間以上仮登録の状態であった場合、当該ユーザに関する登録内容を当該ユーザ登録情報から削除するようにしてもよい。
【００５８】
これにより、入退室管理システム３０における任意の区画への入退室許可の判定に応じたユーザの自動登録を、正式な本登録とは別個の登録状態として管理することができる。したがって、施設管理システム１を利用しないユーザについては、その登録が自動的に削除されるため、無駄な登録を自動的に整理することができるとともに、本登録要求を行った利用者についてのみ、施設管理システム１の継続的な利用を許可することができ、高いセキュリティ性を提供することが可能となる。
【００５９】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００６０】
１…施設管理システム、１０…施設管理装置、１１…ユーザ登録情報ＤＢ、１２…ユーザ情報取得部、１３…機器制御部、２０…ホームポジション管理装置、２１…ユーザ登録情報ＤＢ、２２…ユーザ登録部、２３…ホームポジション登録部、２４…機器制御処理部、３０…入退室管理システム、３１…入退室管理装置、３２…入退室処理装置、４０…区画、４１…操作端末、４２…ＩＤカード、４３…設備機器、Ｌ１，Ｌ２，Ｌ３…通信回線。
【図１】
2015207236.tif 000003
【図２】
2015207236.tif 000004
【図３】
2015207236.tif 000005
【図４】
2015207236.tif 000006
【図５】
2015207236.tif 000007
【図６】
2015207236.tif 000008
【図７】
2015207236.tif 000009
【図８】
2015207236.tif 000010